(57)【要約】      （修正有）【課題】持ち運びに便利で無線ＬＡＮ或いは有線ＬＡＮを通じてデータのアクセス及び随時他の電子機器に電力を供給できるポータブルアクセス及び給電装置を提供する。【解決手段】ポータブルアクセス、及び、給電装置１であって、少なくとも１台の個人用サーバー１１１と給電ユニット１１２と通信インターフェース装置１１３とを、備え、個人用サーバー、及び、給電ユニットが該通信インターフェース装置１１３と電気的に接続し、また該通信インターフェース装置により外部データ送信、又は、受信して該個人用サーバーにアクセスする本体１１を含む。ポータブルアクセス、及び、給電装置１により随時ＬＡＮ、或いは、無線ＬＡＮを経由してデータへアクセスできる以外に、その他の電子機器製への補給電力も供給できる。【選択図】図１
0003176780.tif 000002
【実用新案登録請求の範囲】
【請求項１】
少なくとも１台の個人用サーバーと給電ユニットと通信インターフェース装置とを、備え、前記個人用サーバー、及び、給電ユニットが前記通信インターフェース装置と電気的に接続し、また、前記通信インターフェース装置により前記個人用サーバー内部のデータを送信、若しくは、受信する本体を含むことを特徴とするポータブルアクセス、及び、給電装置。
【請求項２】
前記個人用サーバーは、アクセスユニットと中央処理装置と回路基板とブリッジーとを、更に備え、前記中央処理装置と前記ブリッジーが前記回路基板に設けられ、前記アクセスユニットと前記回路基板、及び、前記中央処理装置と前記ブリッジーとが電気的に接続され、前記アクセスユニットがＮａｎｄ型フラッシュメモリ、及び、ハードディスクドライブのいずれか一方を選択することを特徴とする請求項１に記載のポータブルアクセス、及び、給電装置。
【請求項３】
前記通信インターフェース装置は、無線通信インターフェースユニットとアンテナとを更に備え、前記無線通信インターフェースユニットが前記個人用サーバーの前記中央処理装置と前記アンテナと電気的に接続されることを特徴とする請求項２に記載のポータブルアクセス、及び、給電装置。
【請求項４】
前記給電ユニットと前記個人用サーバーとが電気的に接続されるＵＳＢインターフェースユニットを更に備えることを特徴とする請求項１に記載のポータブルアクセス、及び、給電装置。
【請求項５】
前記給電ユニットと前記個人用サーバーとが電気的に接続されるメモリカード差込口端子を更に備えることを特徴とする請求項１に記載のポータブルアクセス、及び、給電装置。
【請求項６】
前記メモリカード差込口端子は、Ｃｏｍｐａｃｔ  Ｆｌａｓｈ（ＣＦ）、Ｓｍａｒｔ  Ｍｅｄｉａ（ＳＭＣ）、Ｍｕｌｔｉ  Ｍｅｄｉａ（ＭＭＣ）、Ｓｅｃｕｒｅ  Ｄｉｇｉｔａｌ（ＳＤ）、Ｍｅｍｏｒｙ  ｓｔｉｃｋ（ＭＳ）のフォーマットのいずれかの一方を選択することを特徴とする請求項５に記載のポータブルアクセス、及び、給電装置。
【請求項７】
前記個人用サーバーは、ＦＴＰ（Ｆｉｌｅ  Ｔｒａｎｓｆｅｒ  Ｐｒｏｔｏｃｏｌ）サーバーであることを特徴とする請求項１に記載のポータブルアクセス、及び、給電装置。
【請求項８】
前記個人用サーバーは、ＨＴＴＰ（ＨｙｐｅｒＴｅｘｔ  Ｔｒａｎｓｆｅｒ  Ｐｒｏｔｏｃｏｌ）サーバーであることを特徴とする請求項１に記載のポータブルアクセス、及び、給電装置。
【請求項９】
前記給電ユニットは、電力を前記個人用サーバーと前記通信インターフェース装置に供給することを特徴とする請求項１に記載のポータブルアクセス、及び、給電装置。
【請求項１０】
前記給電ユニットは、バッテリーと充電回路と給電回路とを、更に備え、前記バッテリーと前記充電回路と前記給電回路とが電気的に接続されることを特徴とする請求項１に記載のポータブルアクセス、及び、給電装置。
【請求項１１】
前記無線通信インターフェースユニットは、ブルートゥース（Ｂｌｕｅｔｏｏｔｈ）、ＨｙｐｅｒＬＡＮ、Ｔｒｉｐｌｅ  Ｐｌａｙ、ＧＳＭ／ＧＰＲＳ、３Ｇ、３．５Ｇ、４Ｇ、ＩＥＥＥ８０２．１１、ＩＥＥＥ８０２．３、８０２．１５、８０２．１１、Ｗｉ−Ｆｉ  Ｄｉｒｅｃｔの信号のいずれかを受信できることを特徴とする請求項３に記載のポータブルアクセス、及び、給電装置。
【請求項１２】
前記通信インターフェース装置が無線通信インターフェースユニットと有線通信インターフェースユニットとアンテナとを、更に備え、前記無線通信インターフェースユニット、及び、前記有線通信インターフェースユニットは前記個人用サーバーの前記中央処理装置と前記アンテナとを電気的に接続し、前記有線通信インターフェースユニットが少なくとも１個のＲＪ４５コネクタを備えることを特徴とする請求項２に記載のポータブルアクセス、及び、給電装置。
【考案の詳細な説明】
【技術分野】
【０００１】
ポータブルアクセス及び給電装置に関し、特に、持ち運びに便利でＬＡＮ或いは無線ＬＡＮを通じてデータへのアクセス及びその他の電子機器に電力を随時供給できるポータブルアクセス及び給電装置に関する。
【背景技術】
【０００２】
現行のストレージデバイスは、ユーザーがデータへのアクセスのために使用され、最も良く見られるのが携帯電話のポータブル電源及びＮａｎｄ型フラッシュメモリ及びハードディスクドライブ等である。ポータブル電源に個人用無線サーバー及び大容量のストレージデバイスが加わると体積が比較的大きくなるため持ち運びに不便である。
【０００３】
近年、ユニバーサル・シリアル・バス（Ｕｎｉｖｅｒｓａｌ  Ｓｅｒｉａｌ  Ｂｕｓ、ＵＳＢ）インターフェースとフラッシュメモリ（Ｆｌａｓｈ  Ｍｅｍｏｒｙ）の普及に伴い、異なるコンピュータ及びストレージデバイスの間でデータの送信と転送の便宜を図るため、容量が大きく、互換性も良く、持ち運びにも便利な代替品となるＵＳＢフラッシュディスク（ＵＳＢ  Ｆｌａｓｈ  Ｄｉｓｋ）が生まれた。
【０００４】
次に、更に外付けハードディスクケースにハードディスクドライブ或いはＵＳＢフラッシュディスクを組み込んでポータブルハードディスクとし、またユニバーサル・シリアル・バス（Ｕｎｉｖｅｒｓａｌ  Ｓｅｒｉａｌ  Ｂｕｓ、ＵＳＢ）インターフェースへのリンクを通じて該ポータブルハードディスクのデータにアクセスし、ユニバーサル・シリアル・バス（Ｕｎｉｖｅｒｓａｌ  Ｓｅｒｉａｌ  Ｂｕｓ、ＵＳＢ）インターフェースを通じてデータの転送を行う業者もある。以上は有線を通じてデータを転送している。
【０００５】
ユーザーが無線ＬＡＮ方式を通じてデータコピー及びデータ伝送を行う時、無線ＬＡＮカードとポータブルストレージデバイス及びポータブル電源を同時に持ち出さなければならず、且つポータブルストレージデバイス自体に給電ユニットが備えられておらず、該ポータブル電源により電力を供給することで、正常な操作・使用できるようになるので、非常に不便である。更に、ポータブルストレージデバイスは比較的大きな保存容量を有するが、相対的に重量及び体積が比較的重いため持ち運びに適していない。
【考案の概要】
【考案が解決しようとする課題】
【０００６】
そこで、上記従来技術の欠点を解決するため、本考案は、持ち運びに便利で無線ＬＡＮ或いは有線ＬＡＮを通じてデータのアクセス及び随時他の電子機器に電力を供給できるポータブルアクセス及び給電装置を提供することを主な目的とする。
【課題を解決するための手段】
【０００７】
上記目的を達するため、本考案は、少なくとも１台の個人用サーバーと給電ユニットと通信インターフェース装置とを、備え、個人用サーバー及び給電ユニットが前記通信インターフェース装置と電気的に接続し、また該通信インターフェース装置によりデータを該個人用サーバーに送信、若しくは該個人用サーバーからデータを受信する本体を含むポータブルアクセス及び給電装置を提供する。
【０００８】
本考案のポータブルアクセス及び給電装置により、ユーザーが持ち運びに便利で有線ＬＡＮ或いは無線ＬＡＮを通じて該ポータブルアクセス及び給電装置にデータのアクセス作業を行わせることができる。次に、該ポータブルアクセス及び給電装置は、自体の必要な電力を供給する以外に、他の電子機器にも電力を供給できる。
【図面の簡単な説明】
【０００９】
【図１】本考案の第１の実施例に係るポータブルアクセス及び給電装置のブロック図である。
【図２】本考案の第２の実施例に係るポータブルアクセス及び給電装置のブロック図である。
【図３】本考案の第３の実施例に係るポータブルアクセス及び給電装置のブロック図である。
【図４】本考案の第４の実施例に係るポータブルアクセス及び給電装置のブロック図である。
【図５】本考案に係るポータブルアクセス及び給電装置の操作ブロック図である。
【図６】本考案に係るポータブルアクセス及び給電装置の操作ブロック図である。
【図７】本考案に係るポータブルアクセス及び給電装置の操作ブロック図である。
【考案を実施するための形態】
【００１０】
以下、本考案の上記目的、構造及び機能上の特徴を更に明確に分かりやすくするため、好ましい実施例を添付図面に基づいて説明する。
【００１１】
（第１の実施例）
本考案の第１の実施例に係るポータブルアクセス及び給電装置のブロック図を図１を参照しながら説明する。図に示すように、該ポータブルアクセス及び給電装置１は、本体１１を含む。
【００１２】
本体１１は、少なくとも１台のサーバー１１１と給電ユニット１１２と通信インターフェース装置１１３とを、備える。
【００１３】
給電ユニット１１２は、バッテリー１１２１と充電回路１１２２と給電回路１１２３とを、更に備える。前記バッテリー１１２１と該充電回路１１２２と該給電回路１１２３とが電気的に接続される。前記個人用サーバー１１１及び通信インターフェース装置１１３が充電回路１１２２を通じて該バッテリー１１２１と接続して電力を得る。
【００１４】
個人用サーバー１１１及び該給電ユニット１１２は、該通信インターフェース装置１１３と電気的に接続している状態になり、また該通信インターフェース装置１１３を通じて該個人用サーバー１１１内部のデータを送信或いは受信し、ユーザーに該個人用サーバー１１１内部のデータを自由にアクセスさせることができる。
【００１５】
個人用サーバー１１１は、アクセスユニット１１１１と中央処理装置１１１２と回路基板１１１３とブリッジー１１１４とを、更に備える。中央処理装置１１１２と該ブリッジー１１１４が該回路基板１１１３に設けられる。アクセスユニット１１１１と該回路基板１１１３及び該中央処理装置１１１２と該ブリッジー１１１４とが電気的に接続される。
【００１６】
個人用サーバー１１１は、Ｎａｎｄ型フラッシュメモリ及びハードディスクドライブのいずれか一方を選択する。本実施例ではＮａｎｄ型フラッシュメモリを例として説明するが、これに限るものではない。Ｎａｎｄ型フラッシュメモリをユーザーの需要に応じてＮａｎｄ型フラッシュチップを拡張や交換することで、該個人用サーバー１１１の保存容量を増やす。個人用サーバーはＦＴＰ（Ｆｉｌｅ  Ｔｒａｎｓｆｅｒ  Ｐｒｏｔｏｃｏｌ）サーバー及びＨＴＴＰ（ＨｙｐｅｒＴｅｘｔ  Ｔｒａｎｓｆｅｒ  Ｐｒｏｔｏｃｏｌ）サーバーのいずれか一方を選択する。
【００１７】
個人用サーバー１１１は通信インターフェース装置１１３を通じて無線ＬＡＮ信号２を受信及び送信してユーザーが該個人用サーバー１１１のデータに対しアクセスさせるため、ユーザーはデータを該個人用サーバー１１１内に保存できるだけでなく、更に該個人用サーバー１１１内でデータを読み取ることができ、またリアルタイムで該個人用サーバー１１１内の音声や映像マルチメディアファイルを観賞及び閲覧もできる。
【００１８】
通信インターフェース装置１１３は、無線通信インターフェースユニット１１３１とアンテナ１１３２とを更に備える。無線通信インターフェースユニット１１３１が該個人用サーバー１１１に電気的に接続され、また該アンテナ１１３２で無線ＬＡＮ信号２を受信する。
【００１９】
無線通信インターフェースユニット１１３１は、ブルートゥース（Ｂｌｕｅｔｏｏｔｈ）（登録商標）、ＨｙｐｅｒＬＡＮ、Ｔｒｉｐｌｅ  Ｐｌａｙ、ＧＳＭ（登録商標）／ＧＰＲＳ、３Ｇ、３．５Ｇ、４Ｇ、ＩＥＥＥ８０２．１１、ＩＥＥＥ８０２．３、８０２．１５、８０２．１１、Ｗｉ−Ｆｉ  Ｄｉｒｅｃｔの信号のいずれかを受信できる。
【００２０】
（第２の実施例）
本考案の第２の実施例に係るポータブルアクセス及び給電装置のブロック図を図２を参照しながら説明する。図に示すように、本実施例の一部構造は前記第１の実施例と同じであるため、ここに繰り返して記述しないが、本実施例と前記第１の実施例との相違点は、本実施例が前記給電ユニット１１２と個人用サーバー１１１とが電気的に接続されるＵＳＢインターフェースユニット１１４を更に備える。ユーザーはＵＳＢ端子コネクタ３により該給電ユニット１１２と個人用サーバー１１１とを電気的に接続されて、該個人用サーバー１１１のデータへのアクセス作業を行うことができる。また、その他の電子機器４に電力の補給又は外部電源により電力を供給する必要がある場合、該給電ユニット１１２の給電回路１１２３を利用して該バッテリー１１２１の電力を得ることができる。
【００２１】
（第３の実施例）
本考案の第３の実施例に係るポータブルアクセス及び給電装置のブロック図を図３を参照しながら説明する。図に示すように、本実施例の一部構造は前記第１の実施例と同じであるため、ここに繰り返して記述しないが、本実施例と前記第１の実施例との相違点は、本実施例が前記給電ユニット１１２と個人用サーバー１１１とが電気的に接続されるメモリカード差込口端子１１５を更に備える。メモリカード差込口端子１１５は、Ｃｏｍｐａｃｔ  Ｆｌａｓｈ（ＣＦ）（登録商標）、Ｓｍａｒｔ  Ｍｅｄｉａ（ＳＭＣ）（登録商標）、Ｍｕｌｔｉ  Ｍｅｄｉａ（ＭＭＣ）、Ｓｅｃｕｒｅ  Ｄｉｇｉｔａｌ（ＳＤ）、Ｍｅｍｏｒｙ  ｓｔｉｃｋ（ＭＳ）のフォーマットのいずれかの一方を選択し、該メモリカード差込口端子１１５を通じてユーザーに上記のいずれかのフォーマットのメモリカードで該個人用サーバー１１１のデータへのアクセス作業を行わせることができる。
【００２２】
（第４の実施例）
本考案の第４の実施例に係るポータブルアクセス及び給電装置のブロック図を図４を参照しながら説明する。図に示すように、本実施例の一部構造は前記第１の実施例と同じであるため、ここに繰り返して記述しないが、本実施例と前記第１の実施例との相違点は、通信インターフェース装置１１３が無線通信インターフェースユニット１１３１と有線通信インターフェースユニット１１３３とアンテナ１１３２とを、更に備える。該無線通信インターフェースユニット１１３１及び該有線通信インターフェースユニット１１３３は該個人用サーバー１１１の中央処理装置１１１２と該アンテナ１１３２とを電気的に接続し、有線通信インターフェースユニット１１３３が少なくとも１個のＲＪ４５コネクタ１１３４を備え、ユーザーは無線通信インターフェース１１３２或いはネットワークケーブル６を選択して有線通信インターフェースユニット１１３３のＲＪ４５コネクタ１１３４に接続して該個人用サーバー１１１のデータにアクセスできる。
【００２３】
本考案に係るポータブルアクセス及び給電装置の操作ブロック図を図５を参照しながら説明する。図に示すように、ユーザーが通信インターフェース装置１１３で無線ＬＡＮ信号２を受信し、また通信インターフェース装置１１３を介して該個人用サーバー１１１とリンクすると、ユーザーは無線ＬＡＮ信号２を通じて自由に該個人用サーバー１１１のデータをアップロード或いはダウンロードでき、つまり携帯型ネットワーク対応ポータブルハードディスクとして使用できる。
【００２４】
本考案に係るポータブルアクセス及び給電装置の操作ブロック図を図６を参照しながら説明する。図に示すように、ユーザーがＵＳＢインターフェースユニット１１４により該給電ユニット１１２と個人用サーバー１１１とをリンクさせることができ、該ＵＳＢインターフェースユニット１１４とリンクする外付け電子機器４は該個人用サーバー１１１のデータにアクセスでき、更に該ＵＳＢインターフェースユニット１１４を通じて該給電ユニット１１２のバッテリー１１２１及び給電回路１１２３とリンクして電力を得る。
【００２５】
本考案に係るポータブルアクセス及び給電装置の操作ブロック図を図７を参照しながら説明する。図に示すように、ユーザーが所持するメモリカード５は、該メモリカード差込口端子１１５を通じて電気的に接続でき、また該メモリカード差込口端子１１５を通じて該個人用サーバー１１１とリンクする。メモリカード５内部のデータは、該個人用サーバー１１１内部のデータと互いに自由にアクセスできる。
【符号の説明】
【００２６】
１                  ポータブルアクセス及び給電装置
１１                本体
１１１              個人用サーバー
１１１１            アクセスユニット    
１１１２            中央処理装置
１１１３            回路基板
１１１４            ブリッジー
１１２              給電ユニット
１１２１            バッテリー
１１２２            充電回路
１１２３            給電回路
１１３              通信インターフェース装置
１１３１            無線通信インターフェースユニット
１１３２            アンテナ
１１３３            有線通信インターフェースユニット
１１３４            ＲＪ４５コネクタ
１１４              ＵＳＢインターフェースユニット
１１５              メモリカード差込口端子
２                  無線ＬＡＮ信号
３                  ＵＳＢ端子コネクタ
４                  電子機器
５                  メモリカード
６                  ネットワークケーブル
【図１】
0003176780.tif 000003
【図２】
0003176780.tif 000004
【図３】
0003176780.tif 000005
【図４】
0003176780.tif 000006
【図５】
0003176780.tif 000007
【図６】
0003176780.tif 000008
【図７】
0003176780.tif 000009